(57)【要約】【課題】通話者の発声をマイクより検出した音量を通話者本人に認識できるようにし、通話者が自分の話し声が相手側にとって充分聞き取れる音量であるか否かを判断できるようにする。【解決手段】集音手段（マイク５）の出力から入力送話音声の音量レベルを検出する音量レベル検出手段２１と、この音量レベル検出手段の出力からその音量のレベル判定を行う音量レベル判定手段２２と、この音量レベル判定手段の音量レベルを表示する音量表示手段２３（表示部３、ランプ９）とを備えることを特徴とする。【選択図】  図１
2006067240.tif 000002
【特許請求の範囲】
【請求項１】
集音手段の出力から入力送話音声の音量レベルを検出する音量レベル検出手段と、この音量レベル検出手段の出力からその音量のレベル判定を行う音量レベル判定手段と、この音量レベル判定手段の音量レベルを表示する音量表示手段とを備えることを特徴とする送話音量通知装置。
【請求項２】
集音手段がマイクロフォン（マイク）からなり、音量表示手段がランプまたはＬＥＤ（Ｌｉｇｈｔ  Ｅｍｉｔｔｉｎｇ  Ｄｉｏｄｅ）の発光により音量表示を行う請求項１記載の送話音量通知装置。
【請求項３】
音量表示手段は、複数のランプまたは複数のＬＥＤにより、入力音声の音量レベルに対応した色別表示または多色表示を行う請求項１または２記載の送話音量通知装置。
【請求項４】
音量表示手段は、複数のランプ、複数のＬＥＤまたは液晶画面により、入力音声の音量レベルに対応したグラフ表示を行う請求項１または２記載の送話音量通知装置。
【請求項５】
音量表示手段は、前面表示部、背面表示部、キー操作部のバックライト、または任意の箇所のイルミネーション部に設けられた請求項１，２，３または４記載の送話音量通知装置。
【請求項６】
通話音声のない時の周囲雑音レベルを初期値として記憶する記憶手段を備え、この記憶手段に記憶した初期値より所定レベル以上大きい通話音声を入力音声として音量レベル検出手段に入力する請求項１，２，３，４または５記載の音量通知装置。
【請求項７】
入力音声を音声認識する音声認識回路を備え、この音声認識回路により音声認識された出力の音量レベルを検出し、その音量レベルを表示する請求項１，２，３，４，５または６記載の送話音量通知装置。
【請求項８】
請求項１乃至７のいずれか１項に記載の送話音量通知装置を備えることを特徴とする携帯電話機または携帯端末機。
【請求項９】
ハンズフリー機能を有する請求項８記載の携帯電話機または携帯端末機。
【請求項１０】
請求項６に記載の送話音量通知装置を備えハンズフリー機能を有する携帯電話機または携帯端末機において、ハンズフリー通話開始を再設定することにより、初期値がリセットされるようにした携帯電話機または携帯端末機。
【請求項１１】
集音手段の出力から入力送話音声の音量レベルを検出し、この音量レベルの検出出力からその音量のレベル判定を行い、この音量レベル判定出力の音量レベルを音量表示手段に表示することを特徴とする送話音量通知方法。
【請求項１２】
集音手段にマイクロフォン（マイク）を用い、音量表示手段にランプまたはＬＥＤを用いる請求項１１記載の送話音量通知方法。
【請求項１３】
音量表示手段は、複数のランプ，複数のＬＥＤまたは液晶画面により、入力音声の音量レベルに対応してグラフ表示、色別表示または多色表示する請求項１１または１２記載の送話音量通知方法
【請求項１４】
通話音声のない時の周囲雑音レベルを初期値として記憶し、この記憶した初期値より所定レベル以上大きい通話音声を入力音声として音量レベル検出手段に入力する請求項１１，１２または１３記載の送話音量通知方法。
【請求項１５】
入力音声を音声認識し、この音声認識された出力の音量レベルを検出し、その音量レベルを音量表示手段に表示する請求項１１，１２，１３または１４記載の送話音量通知方法。
【請求項１６】
携帯電話または携帯端末に実装される機能を利用し、マイクの音量を通知する音量通知方法において、前記マイクの出力から入力音声の音量レベルを検出し、この検出音声の音量のレベル判定を行い、前記入力音声の音量レベルを音量表示手段に表示して、前記入力音声の音量レベルを通知することを特徴とする送話音量通知方法。
【請求項１７】
携帯電話または携帯端末のハンズフリー通話時に入力音声の音量レベルを表示して通知する請求項１６記載の送話音量通知方法。
【請求項１８】
ハンズフリー通話開始を再設定することにより、初期値をリセットする請求項１７記載の送話音量通知方法。
【発明の詳細な説明】
【技術分野】
【０００１】
本発明は，電子機器の送話音量通知装置およびその音量通知方法に関し、特に携帯電話等の送話音量を表示できるようにした電子機器の送話音量通知装置およびその音量通知方法に関する。
【背景技術】
【０００２】
従来の携帯電話においては、通話時のランプのイルミネーション機能が備えられているが、その点灯方法は、イルミネーションＯＮ−ＯＦＦの選択と、色・固定パターンの指定だけであった。この種の携帯電話について、従来例１として、図１０，１１により説明する。
【０００３】
図１０（ａ）（ｂ）はこの携帯電話の正面および背面から見た斜視図、図１１はそのブロック図である。図１０（ａ）において、携帯電話１は無線基地局を介し、一般電話や他の携帯電話と接続するものである。レシーバ２は、使用者が通話相手の音声を聞くために耳を当てる部分である。表示部３および背面表示部７は、使用者に必要な情報を表示する部分であり、文字や記号、図形等で情報を通知する機能を有している。キー操作部４においては、携帯電話のダイヤル入力や携帯電話に備わっている各種設定の操作を行う部分である。マイク５は、使用者側の音声を相手側に送るために、音声を電気信号に変換する。
【０００４】
図１０（ｂ）において、背面ＬＥＤ（イルミネーション部）８は、内部に二色以上の異なる色で発光可能なＬＥＤが設置され、着信やメール受信時および通話中に任意の色で発光する。ランプ９は携帯電話１の電池が充電中の時は赤く点灯し、完了すると消灯する事を主な役割とし、背面ＬＥＤ８同様、着信やメール受信時および通話中に任意の色で発光することも可能である。スピーカ１０は、着信時やメロディのダウンロード時に音（メロディ）を発し、着信を使用者に知らせ、音による情報を使用者に通知する。また、ハンズフリー機能使用時においては、通話相手の音声、受話音を出力する。アンテナ１１は無線信号の送受信処理を行う部分である。なお、通常はカメラ部１２が設けられている。
【０００５】
図１１は図１０の携帯電話の構成を示すブロック図である。携帯電話１は内部においてアンテナ１１に接続されており、無線部１２を通して無線信号の処理を行う。制御部１３ａは各種の制御をする。着信（メール受信）時の通知手段としては、表示部３、背面表示部７、背面ＬＥＤ８、ランプ９、キー操作部ＬＥＤ１５、スピーカ１０、バイブレータ１９があり、これらを制御部１３ａが制御する。通話時においては、ハンズフリー機能ＯＮ−ＯＦＦの設定に応じて受話音（通話相手の音声）の出力としてレシーバ２またはスピーカ１０が用いられ、これらを制御部１３ａが制御する。制御部１３ａは、表示部３，背面表示部７の表示内容や、背面ＬＥＤ８、ランプ９、キー操作ＬＥＤ部１５の点灯方法も制御する。
キー操作部ＬＥＤ１５は、キー操作部４の構造部品としてキーシートの下に配置されたバックライト用ＬＥＤであり、キー操作時および着信時などに点灯する。電話帳・メモリ部１４には、相手先電話番号，スケジュール情報や各種設定内容等が格納されている。スピーカ１０は音声処理部１６により、着信・受信時には任意の音量と音色（メロディ）で音を出力し、ハンズフリー通話時においては、通話相手の音声を出力する。レシーバ２は音声処理部１７により、通話相手の音声を出力する。また、マイク５から検出した音声信号は通話時において音声処理部１８を介し、制御部１３ａ、無線部１２、アンテナ１１を経て相手側の受話音声として伝えられる。
【０００６】
図１２は図１０の携帯電話の通話時におけるランプ９の制御方法について説明するための、通話開始から通話終了までの一連の動作のフローチャートを示す。制御部１３ａに着信信号が供給され、通話を開始し、さらにハンズフリー通話を開始すると（ステップＳ１１）、以下の４つの動作フロー１〜４の処理が並列して実行される。
【０００７】
・ 動作フロー１
制御部１３ａは、無線部１２から受話音声信号データを受信し（ステップＳ１２）、スピーカ１０から受話音声を出力する（ステップＳ１３）。
【０００８】
・ 動作フロー２
制御部１３ａは、マイク５，音声処理回路１８により、使用者が発声した送話音声を検出し（ステップＳ１４）、制御部１３ａは、無線部１２を介し送話音声信号を通話相手に送信する（ステップＳ１５）。
【０００９】
・ 動作フロー３
制御部１３ａは、通話中、ランプ９の点灯開始を選択した場合（ステップＳ２０）、ランプ９を指定した色、または連続的な点滅パターンで点灯を開始する（ステップＳ２６）。通話中のランプ９点灯開始を選択しない場合（ステップＳ２０）は、ランプ９は点灯せずに、（ステップＳ３２）へ移る。
【００１０】
・ 動作フロー４
表示部に通話開始からの経過時間が表示される（ステップＳ３１）。また、ユーザ指定のイメージ画像を表示部に表示することも可能である。
【００１１】
通話時の動作フロー１〜４（通話）が終了すると（ステップＳ３２）、通話時の動作フロー１〜４が終了し待ち受け画面へ戻る（ステップＳ３３）。また、通話が終了しない場合は、それぞれステップＳ１２，１４，２０、３１に戻り、通話が終了するまで、その動作を続ける。
【００１２】
次に、従来例２の携帯電話機として、図１３のブロック図に示すものがある。この携帯電話機は、通話時における通話者の通話音量が大きすぎる場合に、警告情報を出して通話者の周囲への騒音を防止させるようにしたものである。この携帯電話機は、図１３のように、通話時の音声を音声信号に変換する通話音声入力用の通話用マイク５１と、通話時の音声の音量を検出するために音声を入力する音量検出用マイク５２とを備えている。そして、この音量検出用マイク５２から入力した音声の音量を検出する機能を備えた制御部１３ａと、入力した音声の音量が所定のしきい値を超えたときに警告情報を出力する警告情報出力部３１とを備えている。なお、音量検出用マイク５２と、制御部１３ａと、警告情報出力部３１とにより騒音警告装置を構成する。
【００１３】
この携帯電話機の動作を説明する。携帯電話機の通話を開始すると、通話時の音声は音声を音声信号に変換する通話用マイク５１と、音声の音量を検出するための音量検出用マイク５２とに入力される。この入力された音声は音量を検出する機能を備えた制御部１３ａにより音量が検出される。制御部１３ｂで検出された音量は、制御部１３ｂにおいて特定のしきい値と比較される。そして、しきい値に満たない場合は通常に通話を継続できるが、しきい値を超過した場合は、制御部１３ｂにより警告情報出力可と判定され、警告情報出力部３１から警告情報が出力される（例えば特許文献１参照）。
【００１４】
【特許文献１】特開２００１−２６８１６８号
【発明の開示】
【発明が解決しようとする課題】
【００１５】
しかし、前述の従来例１では、通話時のハンズフリー機能使用時において、使用者が送話音量レベルを把握できないことにより、次のような問題点があった。まず、マイク部５から離れた場所で話すため、声の小さい人の話し声は、相手側で聞き取りにくいが、使用者は、そのことに気づかない。また、使用者が、声量の調整を行おうとしても、どの程度が丁度良いかの判断が難しい。さらに、ハンズフリー通話時の送話音質は、使用者（音源）が遠くなることを考慮し、マイク感度を上げている。そのため、音量は確保できるものの、周囲雑音も大きくなってしまう問題があった。
【００１６】
また、従来例２の携帯電話機では、通話者の通話音量が大きすぎる場合に、警告情報を出して通話者の周囲への騒音を防止させるようにしたものである。すなわち、この携帯電話機では、通話音量が所定レベル以上になった場合、警報情報が表示されるが、通話中の音声レベルが分からないため、その音声レベルがどのようになっているか不明であり、通話者が自分の音声レベルを調整することが非常に難しいという問題がある。
【００１７】
本発明は、以上の問題点を解決するため、携帯電話での通話状態や音声認識機能使用時において、通話者の発声をマイクより検出した音量を通話者本人に認識できるようにし、通話者が自分の話し声が相手側にとって充分聞き取れる音量であるか否かを判断でき、通話者自身が声の大きさを調節することにより、通話音質や音声認識率の向上が可能にした送話音量通知装置および音量通知方法を提供することにある。
【課題を解決するための手段】
【００１８】
本発明の送話音量通知装置の構成は、集音手段の出力から入力音声の音量レベルを検出する音量レベル検出手段と、この音量レベル検出手段の出力からその音量のレベル判定を行う音量レベル判定手段と、この音量レベル判定手段の音量レベルを表示する音量表示手段とを備えることを特徴とする。
【００１９】
本発明において、集音手段がマイクロフォン（マイク）からなり、音量表示手段がランプまたはＬＥＤの発光により音量表示を行うことができ、また、音量表示手段は、複数のランプ，複数のＬＥＤまたは液晶画面により、入力音声の音量レベルを色別表示・多色表示したり、入力音声の音量レベルをグラフ表示することができる。さらに、音量表示手段は、前面表示部、背面表示部、キー操作部のバックライト、または任意の箇所のイルミネーション部に設けられることができる。さらに、通話音声のない時の周囲雑音レベルを初期値として記憶する記憶手段を備え、この記憶手段に記憶した初期値より所定レベル以上大きい通話音声を入力音声として音量レベル検出手段に入力することができ、また、入力音声を音声認識する音声認識回路を備え、この音声認識回路により音声認識された出力の音量レベルを検出し、その音量レベルを表示することができる。
【００２０】
本発明の携帯電話機または携帯端末機の構成は、上述した送話音量通知装置を有することを特徴とする。また、ハンズフリー機能を有することができ、さらに、ハンズフリー機能を有する携帯電話機または携帯端末機において、ハンズフリー通話開始を再設定することにより、初期値がリセットされるようにできる。
【００２１】
本発明の音量通知方法の構成は、集音手段の出力から入力送話音声の音量レベルを検出し、この音量レベルの検出出力からその音量のレベル判定を行い、この音量レベル判定出力の音量レベルを音量表示手段に表示することを特徴とする。
【００２２】
本発明において、集音手段にマイクロフォン（マイク）を用い、音量表示手段にランプまたはＬＥＤを用いることができ、また、音量表示手段は、複数のランプまたは複数のＬＥＤにより、入力音声の音量レベルに対応してグラフ表示、色別表示または多色表示することができる。さらに、通話音声のない時の周囲雑音レベルを初期値として記憶し、この記憶した初期値より所定レベル以上大きい通話音声を入力音声として音量レベル検出手段に入力することができ、また、入力音声を音声認識し、この音声認識された出力の音量レベルを検出し、その音量レベルを音量表示手段に表示することができる。
【００２３】
本発明の構成は、携帯電話または携帯端末に実装される機能を利用し、マイクの音量を通知する音量通知方法において、前記マイクの出力から入力音声の音量レベルを検出し、この検出音声の音量のレベル判定を行い、前記入力音声の音量レベルを音量表示手段に表示して、前記入力音声の音量レベルを通知することを特徴とする。
【００２４】
本発明において、携帯電話または携帯端末のハンズフリー通話時に入力音声の音量レベルを表示して通知することができ、また、ハンズフリー通話開始を再設定することにより、初期値をリセットすることができる。
【発明の効果】
【００２５】
以上説明したように、本発明によれば、マイクが検出する音量レベルの大きさに応じて、電子機器に実装されている表示機能を利用し、使用者にマイク音量レベルを通知することが可能となり、使用者が意識的に発声する声量を調整することができ、マイク音質を改善できる効果がある。
【発明を実施するための最良の形態】
【００２６】
次に図面により本発明の実施形態を説明する。図１（ａ）（ｂ）は本発明の実施形態の全体および主要部のブロック図である。本実施形態は、その概略構成が図１１，図１２と同様であり、その音量制御部分が図１（ｂ）に示すようになっている。
【００２７】
本実施形態においては、図１１，図１２と同様に、携帯電話１は内部においてアンテナ１１に接続されており、無線部１２を通して無線信号の処理を行う。制御部１３は、着信（メール受信）時の通知手段として、表示部３、背面表示部７、背面ＬＥＤ８、ランプ９、キー操作部ＬＥＤ１５、スピーカ１０、バイブレータ１９を制御する。また、制御部１３は、通話時においては、ハンズフリー機能ｏｎ−ｏｆｆの設定に応じて受話音（通話相手の音声）の出力としてレシーバ２またはスピーカ１０を制御し、また表示部３，背面表示部７の表示内容や、背面ＬＥＤ８、ランプ９、キー操作部ＬＥＤ１５の点灯方法を制御する。
キー操作部ＬＥＤ１５は、キー操作部４の構造部品としてキーシートの下に配置されたバックライト用ＬＥＤであり、キー操作時および着信時などに点灯する。電話帳・メモリ部１４には、相手先電話番号，スケジュール情報や各種設定内容等が格納されている。スピーカ１０は音声処理部１６により、着信・受信時には任意の音量と音色（メロディ）で音を出力し、ハンズフリー通話時においては、通話相手の音声を出力する。レシーバ２は音声処理部１７により、通話相手の音声を出力する。また、通話時に、マイク５から検出した音声信号は、音声処理部１８を介し、制御部１３、無線部１２、アンテナ１１を経て相手側に送信される。
【００２８】
また、図１（ｂ）に示すように、通話時において、マイク５から検出した音声信号は音声処理部１８によりＡ／Ｄ変換等の処理が行われる。処理された音声信号は、制御部１３の音声検出部２１に入力される。音声検出部２１は、入力音声の大きさを検出し、この音声検出出力は、音声レベル判定部２２に入力される。音声レベル判定部２２は、その音声レベルを判定し、各判定音声レベルを音声レベル出力部２３に出力する。音声レベル出力部２３は、各判定音声レベルに従ってそのレベル表示のための表示出力を出力する。この表示出力はランプ９を点灯させる。
【００２９】
図２は、本実施形態としての図１の基本動作を表すフローチャートである。マイク５からの音声検出を行う場合、制御部１３は、マイク音声の検出レベルを携帯電話１に備わる各種表示・出力機能を活用し、使用者にマイク音量レベルを通知する。はじめに、携帯電話１がマイク音声を検出し（ステップＳ１）、検出したマイク音量レベルの通知開始を選択した場合（ステップＳ２）、音量レベルの通知を開始する（ステップＳ３）。マイク５の音声検出終了を選択すると（ステップＳ４）、マイク音量レベルの通知は終了する（ステップＳ５）。マイクの音声検出終了を選択しない場合（ステップＳ４）、引き続きマイク音量レベルの通知を行う。
【００３０】
以上のような動作から、使用者にマイク音量レベルを通知することが可能な構成となり、使用者が意識的に発声する声量を調整することができることは明かである。
【実施例１】
【００３１】
図１、図２で説明した実施形態は、本発明の第１の実施例としての基本動作を示している。以下に示す実施例は、第１の実施例の基本動作を元に、通話時（特にハンズフリー通話時）の動作、音声認識機能使用時の動作を説明するものである。
【実施例２】
【００３２】
図３は本発明の第２の実施例の動作の、通話開始から通話終了までの一連の動作を説明するフローチャートである。このフローを説明する前に、本実施例の通話状態を、図１を参照して説明する。本実施例の通話状態において、受話音声信号がアンテナ１１に入力されると、無線部１２で復調され制御部１３に供給される。通常の通話ではレシーバ２より、ハンズフリー機能使用時はスピーカ１０より受話音声を出力し使用者に伝える。またマイク５から検出した送話音声は、制御部１３，音声処理部１８により変調する等の所定の信号処理を行い、アンテナ９より送信される。表示部３には、通話時間および任意の画像が表示される。
【００３３】
ここで、ランプ９は携帯電話１の通話時において任意の色で発光し、使用者にマイク検出音量（送話音量）を通知する。また、予め送話音量の大きさに応じて、ＬＥＤの各色を割り当てて設定しておくことにより、ＬＥＤの発光色を目視することで使用者の送話音量の大きさを知ることが可能となる。
【００３４】
第２の実施例は、ハンズフリー通話時において送話音量を使用者に通知するための方法に関するものであり、ランプ９の点灯を制御するものである。
【００３５】
図３のフローチャートにおいて、ステップＳ１１〜Ｓ１５、Ｓ２０〜Ｓ２４はハンズフリー通話時における各処理ステップを示す。制御部１３に着信信号が供給され、通話を開始し、さらにハンズフリー通話を開始すると（ステップＳ１１）、以下の３つの処理が並列して実行される。
【００３６】
・動作フロー１
制御部１３は、無線部１２より受話音声信号データを受信し（ステップＳ１２）、スピーカ１０から受話音声を出力する（ステップＳ１３）。
【００３７】
・動作フロー２
制御部１３は、マイク５，音声処理回路１８により、使用者が発声した送話音声を検出する（ステップＳ１４）。次に、通話中、ランプ９の点灯開始を選択するかどうか決め（ステップＳ２０）、ランプ９の点灯開始を選択する場合は、次に検出した送話音量レベルの通知開始を選択するかどうか決める（ステップＳ２１）。送話音量レベルの通知開始を選択する場合、ランプ９を任意の点灯方法で点灯させ音量レベルの通知を開始する（ステップＳ２３）。また検出した送話音量レベルの通知開始を選択しない場合（ステップＳ２１）、固定の色または点灯パターンでランプ９の点灯を開始する（ステップＳ２４）。さらに、検出した送話音声について無線部１２を介しアンテナ１１より、通話相手側へ送信される（ステップＳ１５）。通話中のランプ９点灯開始を選択しない場合（ステップＳ２０）は、ランプは点灯せずに、（ステップＳ１５）へ移る。
【００３８】
・動作フロー３
また、表示部に通話開始からの経過時間が表示される（ステップＳ３１）。なお、ユーザ指定のイメージ画像を表示部に表示することも可能である。
【００３９】
通話時の動作フロー１〜３（通話）が終了すると（ステップＳ３２）、通話時の動作フロー１〜３が終了し待ち受け画面へ戻る（ステップＳ３３）。また、通話が終了しない場合は、それぞれステップＳ１２，１４，３１に戻り、通話が終了するまで、その動作を続ける。
【００４０】
ここで図４は、本実施例の（ステップＳ２３）における音量レベルの通知例（ランプ９の点灯方法）についてまとめた、表である。マイクの電気信号の音圧レベルは、９４ｄＢｓｐｌ（ｓｏｕｎｄ  ｐｒｅｓｓｕｒｅ  ｌｅｖｅｌ）の音量相当をセンター値とし、マイクレベル４とする。マイクレベルは、４ｄＢのレベル差で段階を設ける。マイクレベル４に対し、音量が４ｄＢ大きい場合はマイクレベル５とし、さらに４ｄＢ大きい場合（８ｄＢアップ）はマイクレベル６となる。また、反対に音量が４ｄＢ小さい場合はマイクレベル３、さらに４ｄＢ小さい場合（８ｄＢダウン）はマイクレベル２、さらに４ｄＢ小さい場合（１２ｄＢダウン）はマイクレベル１、さらに４ｄＢ小さい場合（１６ｄＢダウン）はマイクレベル０とする。
【００４１】
また、パターン１〜４は、通話中の送話音声レベルに応じて、０〜６の段階に割り振られたマイクレベルに対応した色を指定する例である。パターン１は、通話の相手側（受話側）が、おおよそ聞き取り可能なマイクレベルとしてマイクレベル３（センター値はレベル４であるが、若干マージンを持って設定）以上の送話音量レベルを検出した場合、ランプ９のＬＥＤは赤く点灯し、マイクレベル２以下の送話音量レベルではＬＥＤは点灯しない。
【００４２】
パターン２は、通話の相手側（受話側）が、おおよそ聞き取り可能なマイクレベルとしてマイクレベル３（センター値はレベル４であるが、若干マージンを持って設定）以上の送話音量レベルを検出した場合、ランプ９のＬＥＤは赤く点灯し、マイクレベル２以下の送話音量レベルではＬＥＤは青く点灯する。
【００４３】
パターン３は、通話の相手側（受話側）が、おおよそ聞き取り可能なマイクレベルとしてマイクレベル２〜４に相当する送話音量レベルを検出した場合、ランプ９のＬＥＤは緑に点灯し、マイクレベル１以下の送話音量レベルではＬＥＤは青く点灯する。また基準値よりも大きいマイクレベル５〜６の送話音量レベルを検出した場合，ＬＥＤは赤く点灯する。さらに、パターン４は、マイクレベル毎に、ＬＥＤの点灯色を変化させるものであり、色の指定についてはデフォルトとして設定するが、使用者の好みで変更可能である。
【００４４】
以上のような制御動作により、ハンズフリー通話時のランプ９のＬＥＤのレベル表示が可能となる。これら表示方法では、固定の発光色・点灯パターンの設定の他に、送話音量レベルの大きさにより、点灯色を変化させたり、小さいレベルの場合は消灯させている。これら表示方法によれば、使用者に送話音量レベルを通知することが可能な構成となり、ハンズフリー機能を使用した場合、使用者が意識的に発声する声量を調整することができ、通話音質が改善される。
【００４５】
本実施例によれば、携帯電話のハンズフリー通話時において、送話音量レベルの大きさに応じてランプ９を点灯させたり、表示部３にレベルを表示する事により、使用者に送話音量レベルを通知することが可能となり、使用者が意識的に発声する声量を調整することができ、通話音質の改善につながる。
【実施例３】
【００４６】
図５は本発明の第３の実施例の動作を説明するフローチャートである。第２の実施例では、ランプ９を多色に発光させる方法であるのに対し、第３の実施例は、表示部３または背面表示部７に、音圧レベルを、図６のように、複数のＬＥＤや液晶画面によりグラフ表示させるものである。図５のフローチャートの各処理ステップは次の通りである。
【００４７】
制御部１３に着信信号が供給され、通話を開始し、さらにハンズフリー通話を開始すると（ステップＳ１１）、以下の３つの処理が並列して実行される。
【００４８】
・動作フロー１
制御部１３は、無線部１２より受話音声信号データを受信し（ステップＳ１２）、スピーカ１０から受話音声を出力する（ステップＳ１３）。
【００４９】
・動作フロー２
制御部１３は、マイク５，音声処理回路１８により、使用者が発声した送話音声を検出する（ステップＳ１４）。そして、送話音量レベルの通知開始を選択するかどうか決め（ステップＳ２０）、送話音量レベルの通知開始を選択する場合、表示部３または、背面表示部７を任意の表示方法で表示させ送話音量レベルの通知を開始する（ステップＳ２５）。さらに検出した送話音声について無線部１２を介しアンテナ１１より、通話相手に送信する（ステップＳ１５）。送話音量レベルの通知開始を選択しない場合、そのままステップＳ１５で送信をする。
【００５０】
・動作フロー３
なお、表示部に通話開始からの経過時間が表示される（ステップＳ３１）。また、ユーザ指定のイメージ画像を表示部に表示することも可能である。
通話が終了すると（ステップＳ３２）、実施例１，２と同様に通話時の動作フロー１〜３が終了し待ち受け画面へ戻る（ステップＳ３３）。
【００５１】
ここで図６は、本実施例の（ステップＳ２５）における音量レベルの通知例であり、表示部３または背面表示部７の音量レベル表示方法について、図示したものである。
【００５２】
実施例２の説明と同様、マイク５から検出した電気信号のレベルについて、センター値（０ｄＢ）をマイクレベル４とし、４ｄＢのレベル差で段階を設ける。マイクレベル４に対し、音量が４ｄＢ大きい場合はマイクレベル５とし、さらに４ｄＢ大きい場合（８ｄＢアップ）はマイクレベル６となる。また、反対に音量が４ｄＢ小さい場合はマイクレベル３、さらに４ｄＢ小さい場合（８ｄＢダウン）はマイクレベル２、さらに４ｄＢ小さい場合（１２ｄＢダウン）はマイクレベル１、さらに４ｄＢ小さい場合（１６ｄＢダウン）はマイクレベル０とする。
【００５３】
通話中の送話音声レベルに応じて、０〜６の段階に割り振られたマイクレベルに対応した色を指定し、マイクレベルの変動に応じて、表示部３または、背面表示部７に図６のグラフ表示を行う。色の指定についてはデフォルトとして設定するが、使用者の好みで変更可能である。
【００５４】
以上のような動作により、ハンズフリー通話時の表示部３または、背面表示部７の制御方法において、送話音量レベルの大きさによりグラフ表示された送話音量レベルを変動させることで、使用者に送話音量レベルを通知することが可能な構成となる。
【実施例４】
【００５５】
図７は本発明の第４の実施例の動作の、通話開始から通話終了までの一連の動作を説明するフローチャートである。本実施例は、第２の実施例と第３の実施例の両方の動作を盛り込んだものであり、ハンズフリー通話時における、使用者が選択設定した任意のＬＥＤと表示部の制御方法を示す。まず、制御部１３に着信信号が供給され、通話を開始し、さらにハンズフリー通話を開始すると（ステップＳ１１）、以下の３つの処理が並列して実行される。
【００５６】
・ 動作フロー１
制御部１３は、無線部１２より受話音声信号データを受信し（ステップＳ１２）、スピーカ１０から受話音声を出力する（ステップＳ１３）。
【００５７】
・ 動作フロー２
制御部１３は、マイク５，音声処理回路１８により、使用者が発声した送話音声を検出し（ステップＳ１４）、通話中、ランプ９の点灯開始をするかどうか決める（ステップＳ２０）。送話音量レベルの通知開始を選択した場合、検出した送話音量レベルの通知開始をするかどうか決める（ステップＳ２１）、送話音量レベルの通知開始を選択した場合、ランプ９を図５に示す点灯方法で点灯させ送話音量レベルの通知を開始する（ステップＳ２３）。さらに、表示部に図６に示すような送話音量レベルの表示を開始する（ステップＳ２５）。また検出した送話音量レベルの通知開始を選択しない場合（ステップＳ２１）、固定の色または点灯パターンでランプ９の点灯を開始する（ステップＳ２４）。さらに検出した送話音声について無線部１２を介しアンテナ１１より、通話相手に送信する（ステップＳ１５）。通話中のランプ９点灯開始を選択しない場合（ステップＳ２０）は、ランプは点灯せずに、（ステップＳ１５）へ移る。
【００５８】
・ 動作フロー３
表示部には、ステップＳ２５の送話音量レベル表示だけでなく、通話開始からの経過時間が表示される（ステップＳ３１）。また、ユーザ指定のイメージ画像を表示部に表示することも可能である。
通話が終了されると（ステップＳ３２）、実施例２，３と同様に、通話時の動作フロー１〜３が終了し待ち受け画面へ戻る（ステップＳ３３）。
【００５９】
以上のような動作から、ハンズフリー通話時の送話音量レベルの大きさにより、ランプ９のＬＥＤを多色に点灯させ、表示部３（または背面表示部７）には、送話音量レベルをグラフ表示することができる。これにより、光とグラフ表示により使用者に送話音量レベルを通知することが可能な構成となる。
【実施例５】
【００６０】
図８は本発明の第５の実施例の動作フローチャートである。第２〜４の実施例の動作は、使用者の音声のみを対象にした送話音声レベルの表示方法であるが、第５の実施例の動作は、周囲雑音が大きい使用シーンを想定した送話音声レベル表示方法である。ハンズフリー通話開始時の送話音声レベル（初期値）を検出し記憶しておき（Ｓ１１ａ）、通話中の送話音量レベルが初期値に対し４ｄＢ以上大きい場合、周囲雑音ではなく通話音声と判断し、送話音声レベルの通知するものである。
【００６１】
制御部１３に着信信号が供給され、通話を開始し、さらにハンズフリー通話を開始し（ステップＳ１１）、ハンズフリー通話を開始直後（まだスピーカ１０から受話音が出力される前）の送話音声レベルをマイク５，音声処理回路１８により検出し、記憶しておく（ステップＳ１１ａ）。次に以下の３つの処理が並列して実行される。
【００６２】
・ 動作フロー１
制御部１３は、無線部１２より受話音声信号データを受信し（ステップＳ１２）、スピーカ１０から受話音声を出力する（ステップＳ１３）。
【００６３】
・ 動作フロー２
制御部１３は、マイク５，音声処理回路１８により、使用者が発声した送話音声と周囲雑音を検出し（ステップＳ１４）、通話中に、ランプ９の点灯開始をするかどうかを決める（ステップＳ２０）。ランプ９の点灯開始を選択した場合、検出した送話音量レベルの通知開始をするかどうかを決める（ステップＳ２１）。送話音量レベルの通知開始を選択した場合、送話音量レベルが、ステップＳ１１ａで記憶した初期値に対して４ｄＢ以上のレベル差があるかどうかを判定する（ステップＳ２２）。初期値に対して４ｄＢ以上のレベル差があると判定した場合、ランプ９は任意の点灯方法で点灯し（ステップＳ２３）、音量レベルの通知を開始する。さらに、表示部には、図６に示すような送話音量レベルの表示を開始する（ステップＳ２５）。また検出した送話音量レベルの通知開始を選択しない場合（ステップＳ２１）、固定の色または点灯パターンでランプ９の点灯を開始する（ステップＳ２４ａ）。続いて、検出した送話音声について無線部１２を介しアンテナ１１より、通話相手側へ送信される（ステップＳ１５）。通話中のランプ９点灯開始を選択しない場合（ステップＳ２０）および、送話音量レベルと初期値とのレベル差が４ｄＢ以下の場合（ステップＳ２２）、ランプは点灯せずに、ステップＳ１５へ移る。
【００６４】
・ 動作フロー３
表示部に通話開始からの経過時間が表示される（ステップＳ３１）。また、ユーザ指定のイメージ画像を表示部に表示することも可能である。
通話が終了すると（ステップＳ３２）、他の実施例と同様に、通話時の動作フロー１〜３が終了し、待ち受け画面へ戻る（ステップＳ３３）。
【００６５】
ここで第５の実施例の動作における、音量レベルの通知例（ランプ９の点灯方法および表示部のグラフ表示方法）について、図４、図６を参考に説明する。マイク５から検出したハンズフリー通話開始時の送話音声レベル（初期値）は、周囲雑音として扱うため、検出したマイクレベルの大きさに関係なく、ランプ９は点灯しない。また、表示部のグラフ表示はマイクレベル０のままにする。
【００６６】
例えば、初期値が８５ｄＢｓｐｌとなる周囲雑音下でハンズフリー通話をする場合、周囲雑音のみのマイク検出レベルが、マイクレベルの区分でマイクレベル２に相当するが、ランプ９の点灯は行わず、グラフ表示もマイクレベル０のままにする。マイク検出レベルが８９ｄＢｓｐｌ以上の音圧（初期値対して４ｄｂＢ上アップ）になると、マイクレベル３として、ランプ９の点灯と表示部を制御しマイクレベル３が通知される。マイク検出レベルが８９ｄＢｓｐｌ以下に下がってしまった場合、初期値（８５ｄＢｓｐｌ ）までは音量レベルの通知を行うが、初期値以下になると再びランプ９は点灯せず、表示部はマイクレベル０になる。
【００６７】
なお、初期値となる周囲雑音のレベルがマイクレベル０での最大音圧（８０ｄＢｓｐｌ）よりも４ｄＢ低い７６ｄＢｓｐｌ以下の場合、他の実施例と同様の動作を行う。
【００６８】
また、ハンズフリー通話開始を再設定することにより、初期値をリセットする動作を追加すれば、突発的に大きくなってしまった周囲雑音のため、マイクレベルが通知されない問題を解決することも可能である。
【００６９】
本実施例によれば、通常（受話器に耳を当てて）の通話時において、送話音量レベルの大きさに応じてランプ９を点灯させる事により、携帯電話１の受話部から耳を離して話す（電話帳機能で電話番号を検出し、読み上げる時など）時、相手側にとって充分聞き取れる音量であるか判断が可能となる。
【実施例６】
【００７０】
図９は本発明の第６の実施例の構成を示すブロック図である。本実施例は、図２に示す本発明の実施例の構成に音声認識回路２０を追加したもので、音声認識機能を使用している。本実施例において、使用者が発声した言葉（ワード）が、マイク５により音声信号として検出される。この音声信号は、音声処理部１８によりＡ／Ｄ変換等の処理が行われる。さらに、音声信号は、音声認識回路２０によりワードと認識し、この認識したワードと、電話帳・メモリ部１４に格納されたワードを検索し、合致したワードによる機能を実行する。
【００７１】
音声認識機能実行時においても、制御部１３は、実施例１と同様の制御を行い、携帯電話に実装されている機能を利用し、マイク検出音量を使用者に通知する。また、実施例２〜５で説明したランプ９および表示部３の制御を行っても構わない。
【００７２】
また、本実施例（第２〜第５）において、ランプ９のＬＥＤ発光により送話音量レベルを使用者に通知する方法を説明したが、光による通知が可能である部品であれば、同様な点灯方法が可能である。例えば、図１の背面ＬＥＤ８や、背面表示部・正面表示部・キー操作部に設置されているバックライト（内部から光を当てることにより、表示部やキー操作部などを見やすくするために設置されているＬＥＤ）に本実施例（第２〜第５）の制御方法を適用し、送話音量レベルの通知を行っても構わない。
【００７３】
また、本実施例（第２〜第５）の動作はハンズフリー通話を行っている場合について説明したが、通常（受話器に耳を当てて）の通話時において、適用しても構わない。
【００７４】
これら実施例（第２〜第５）において、マイク音声レベルのレベル区分の方法は、任意に設定可能であり、４ｄＢ毎に区切らなくても構わない。また、本実施例（第２〜第５）では９４ｄＢｓｐｌをマイクレベル４に相当するように設定したが、このマイクレベルの基準値についても、任意に設定して構わない。
【００７５】
本実施例によれば、携帯電話の音声認識機能使用時において、マイク５が検出した音量レベルの大きさに応じてランプ９を点灯させたり、表示部３にレベルを表示する事により、使用者にマイク音量レベルを通知することが可能となり、使用者が意識的に発声する声量を調整することができ、音声認識率の改善につながる。
【産業上の利用可能性】
【００７６】
本発明は、携帯電話機または携帯端末機ばかりでなく、音声入力を行う全ての電子機器に適用することができる。
【図面の簡単な説明】
【００７７】
【図１】本発明の第１の実施形態を説明する携帯電話の制御部のブロック図である。
【図２】図１の動作を説明するフローチャートである。
【図３】本発明の第２の実施例を説明するフローチャートである。
【図４】図３の動作の色組合せを説明する図である。
【図５】本発明の第３の実施例を説明するフローチャートである。
【図６】図５の動作のレベル表示を説明する図である。
【図７】本発明の第４の実施例を説明するフローチャートである。
【図８】本発明の第５の実施例を説明するフローチャートである。
【図９】本発明の第６の実施例を説明する携帯電話のブロック図である。
【図１０】従来例１の携帯電話を説明するブロック図である。
【図１１】（ａ）（ｂ）は図１０の携帯電話の正面および背面の斜視図である。
【図１２】図１１の動作を説明するフローチャートである。
【図１３】従来例２の携帯電話の構成を説明するブロック図である。
【符号の説明】
【００７８】
１    携帯電話
２    レシーバ
３    表示部
４    キー操作部
４ａ    操作部
５    マイク（ロフォン）
６    カメラ部
７    背面表示部
８    背面ＬＥＤ
９    ランプ
１０    スピーカ
１１    アンテナ
１２    無線部
１３，１３ａ    制御部
１４    電話・メモリ部
１５    キー操作部ＬＥＤ
１６，１７，１８    音声処理部
１９    バイブレータ
２０    音声認識回路
２１    音声検出部
２２    音声レベル判定部
２３    音声レベル出力部
３１    警告情報出力部
５１    通話用マイク
５２    音量検出用マイク
Ｓ１〜Ｓ３３    処理ステップ
【図１】
2006067240.tif 000003
【図２】
2006067240.tif 000004
【図３】
2006067240.tif 000005
【図４】
2006067240.tif 000006
【図５】
2006067240.tif 000007
【図６】
2006067240.tif 000008
【図７】
2006067240.tif 000009
【図８】
2006067240.tif 000010
【図９】
2006067240.tif 000011
【図１０】
2006067240.tif 000012
【図１１】
2006067240.tif 000013
【図１２】
2006067240.tif 000014
【図１３】
2006067240.tif 000015